(57)【特許請求の範囲】
【請求項１】
複数の入力端子及び複数の出力端子を備え、それぞれクロスポイント仮想識別名称（又は、クロスポイント仮想識別符号）が付された複数組のクロスポイントスイッチの組み合わせを有するルーティングスイッチャと、
前記複数のクロスポイント仮想識別名称（又は、クロスポイント仮想識別符号）のうちの選択されたクロスポイント仮想識別名称（又は、クロスポイント仮想識別符号）のクロスポイントスイッチの組み合わせを同時にオンにする切換え制御データを発生する切換え制御データ発生手段と、
前記切換え制御データ発生手段からの切換え制御データに基づいて前記ルーティングスイッチャを制御するスイッチング制御手段と、
それぞれデスティネーション識別名称（又は、デスティネーション識別符号）の付された複数のデスティネーション操作スイッチ及びそれぞれソース識別名称（又は、ソース識別符号）の付された複数のソース操作スイッチとを有し、
前記複数のデスティネーション操作スイッチのうちの選択されたデスティネーション操作スイッチを操作すると共に、その後、前記複数のソース操作スイッチのうちの選択されたソース操作スイッチを操作することにより、前記選択されたデスティネーション操作スイッチ及び前記選択されたソース操作スイッチの組み合わせに応じたクロスポイント仮想識別名称（又は、クロスポイント仮想識別符号）の切換え制御データを前記切換え制御データ発生手段から発生させるようにした信号切換え装置において、
前記それぞれクロスポイント仮想識別名称（又は、クロスポイント仮想識別符号）が付された複数組のクロスポイントスイッチの組み合わせのうち、前記ルーティングスイッチャの入力端子の組み合わせを共通にする複数組のクロスポイントスイッチの組み合わせに、前記クロスポイント仮想識別名称（又は、クロスポイント仮想識別符号）とは異なるクロスポイント識別名称を付しておき、
前記クロスポイント識別名称の付された複数組のクロスポイントスイッチの組み合わせのうち、前記ルーティングスイッチャの出力端子の組み合わせを共通にするものには、その出力端子の組み合わせに応じたデスティネーション識別名称（又は、デスティネーション識別符号）データを付加すると共に、出力端子の組み合わせを共通にしないものには、前記デスティネーション識別名称（又は、デスティネーション識別符号）データを付加しないようにし、且つ、前記クロスポイント識別名称に応じた前記ソース識別名称（又は、ソース識別符号）データを付加した複数のクロスポイント識別名称（又は、クロスポイント識別符号）の切換え制御データ記憶する記憶手段と、
前記記憶手段から読み出された複数のクロスポイント識別名称（又は、クロスポイント識別符号）の切換え制御データのうち、前記前記デスティネーション識別名称（又は、デスティネーション識別符号）データの付されていないクロスポイント識別名称（又は、クロスポイント識別符号）の切換え制御データには、前記選択されたデスティネーション操作スイッチのデスティネーション識別名称（又は、デスティネーション識別符号）と同じデスティネーション識別名称（又は、デスティネーション識別符号）データを付加し、前記前記デスティネーション識別名称（又は、デスティネーション識別符号）データの付されている前記クロスポイント識別名称（又は、クロスポイント識別名称）の切換え制御データはそのままとした複数のクロスポイント識別名称（又は、クロスポイント識別符号）の切換え制御データを形成する切換え制御データ形成手段とを、前記切換え制御データ発生手段に設け、
前記切換え制御データ形成手段からの前記複数のクロスポイント識別名称（又は、クロスポイント識別符号）の切換え制御データを、前記複数のクロスポイント仮想識別名称（又は、クロスポイント仮想識別名称）の切換え制御データとして、前記スイッチ制御手段に供給するようにしたことを特徴とする信号切換え装置。
【請求項２】
複数の入力端子及び複数の出力端子を備え、それぞれクロスポイント仮想識別名称（又は、クロスポイント仮想識別符号）が付された複数組のクロスポイントスイッチの組み合わせを有するルーティングスイッチャと、
前記複数のクロスポイント仮想識別名称（又は、クロスポイント仮想識別符号）のうちの選択されたクロスポイント仮想識別名称（又は、クロスポイント仮想識別符号）のクロスポイントスイッチの組み合わせを同時にオンにする切換え制御データを発生する切換え制御データ発生手段と、
前記切換え制御データ発生手段からの切換え制御データに基づいて前記ルーティングスイッチャを制御するスイッチング制御手段と、
それぞれデスティネーション識別名称（又は、デスティネーション識別符号）の付された複数のデスティネーション操作スイッチ及びそれぞれソース識別名称（又は、ソース識別符号）の付された複数のソース操作スイッチとを有し、
前記複数のデスティネーション操作スイッチのうちの選択されたデスティネーション操作スイッチを操作すると共に、その後、前記複数のソース操作スイッチのうちの選択されたソース操作スイッチを操作することにより、前記選択されたデスティネーション操作スイッチ及び前記選択されたソース操作スイッチの組み合わせに応じたクロスポイント仮想識別名称（又は、クロスポイント仮想識別符号）の切換え制御データを前記切換え制御データ発生手段から発生させるようにした信号切換え装置において、
前記それぞれクロスポイント仮想識別名称（又は、クロスポイント仮想識別符号）が付された複数組のクロスポイントスイッチの組み合わせのうち、前記ルーティングスイッチャの入力端子の組み合わせを共通にする複数組のクロスポイントスイッチの組み合わせに、前記クロスポイント仮想識別名称（又は、クロスポイント仮想識別符号）とは異なるクロスポイント識別名称を付しておき、
前記クロスポイント識別名称（又は、クロスポイント識別符号）の付された複数組のクロスポイントスイッチの組み合わせのうち、前記ルーティングスイッチャの出力端子の組み合わせを共通にするものには、その出力端子の組み合わせに応じたデスティネーション識別名称（又は、デスティネーション識別符号）データを付加すると共に、ソース識別名称（又は、ソース識別符号は付加せず、出力端子の組み合わせを共通にしないものには、前記デスティネーション識別名称（又は、デスティネーション識別符号）データを付加しないようにすると共に、前記クロスポイント識別名称に応じた前記ソース識別名称（又は、ソース識別符号）データを付加した複数のクロスポイント識別名称（又は、クロスポイント識別符号）の切換え制御データ記憶する記憶手段と、
前記記憶手段から読み出された複数のクロスポイント識別名称（又は、クロスポイント識別符号）の切換え制御データのうち、前記ソース識別名称（又は、ソース識別符号）データが付されていないときは、前記前記デスティネーション識別名称（又は、デスティネーション識別符号）データの付されていないクロスポイント識別名称（又は、クロスポイント識別符号）の切換え制御データには、前記選択されたデスティネーション操作スイッチのデスティネーション識別名称（又は、デスティネーション識別符号）と同じデスティネーション識別名称（又は、デスティネーション識別符号）データを付加し、前記前記デスティネーション識別名称（又は、デスティネーション識別符号）データの付されている前記クロスポイント識別名称（又は、クロスポイント識別名称）の切換え制御データ及び前記ソース識別名称（又は、ソース識別符号）データが付されていない切換え制御データはそのままとした複数のクロスポイント識別名称（又は、クロスポイント識別符号）の切換え制御データを形成する切換え制御データ形成手段とを、前記切換え制御データ発生手段に設け、
前記切換え制御データ形成手段からの前記複数のクロスポイント識別名称（又は、クロスポイント識別符号）の切換え制御データを、前記複数のクロスポイント仮想識別名称（又は、クロスポイント仮想識別名称）の切換え制御データとして、前記スイッチ制御手段に供給するようにしたことを特徴とする信号切換え装置。
【発明の詳細な説明】
【０００１】
【発明の属する技術分野】
本発明は、ルーティングスイッチャ（マトリックススイッチャ）を用いた信号切換え装置に関する。
【０００２】
【従来の技術】
従来のこの種の信号切換え装置について説明する。尚、信号切換え装置の全体構成の具体例は、後述する実施の形態における図２〜図５及びその説明と略同様である。
【０００３】
この信号切換え装置は、複数の入力端子及び複数の出力端子を備えるルーティングスイッチャ及びそのクロスポイントスイッチを制御するスイッチング制御手段と、後述するコントロールユニットとを備えている。スイッチング制御手段によって、そのルーティングスイッチャの複数のクロスポイントスイッチのうちの選択されたクロスポイントスイッチの組み合わせを同時にオンにすることにより、その選択されたクロスポイントスイッチに対応する入力端子に接続された音声機器、映像機器、映像／音声機器等の入力側情報機器（ソース機器）よりのソース情報信号を、その選択されたクロスポイントスイッチに対応する出力端子に接続された音声機器、映像機器、映像／音声機器等の出力側情報機器（デスティネーション機器）に供給する。
【０００４】
ルーティングスイッチャには、このクロスポイントスイッチの組み合わせが、複数組設けられてりおり、それぞれのクロスポイントスイッチの組み合わせに対し、それぞれ仮想（ファントム）識別名称｛仮想（ファントム）識別符号｝が付されている。仮想識別名称は、例えば、ニックネームであり、仮想識別符号は、、例えば、番号である。
【０００５】
ルーティングスイッチャのあるクロスポイントスイッチの組み合わせに対応する入力端子の組み合わせ及び出力端子の組み合わせに対しても、それぞれソース識別名称（又は、ソース識別符号）及びデスティネーション識別名称（又は、デスティネーション識別符号）が付されている。それぞれソース識別名称の付された入力端子の組に供給される入力情報信号（ソース情報信号）は、１つの入力側情報機器（ソース情報機器）からの情報信号に限らず、複数の入力側情報機器（ソース情報機器）からの情報信号の場合もある。同様に、デスティネーション識別名称が付された出力端子の組み合わせから出力される出力情報信号（デスティネーション情報信号）は、１つの出力側情報機器（デスティネーション情報機器）へのの出力情報信号（デスティネーション情報信号）に限らず、複数の出力側情報機器（デスティネーション情報機器）えの出力情報信号（デスティネーション情報信号）の場合もある。これらの識別名称は、例えば、現実、又は、仮想の情報機器の名前であり、識別符号は、例えば、番号である。
【０００６】
次に、コントロールユニットについて説明する。このコントロールユニットは、複数のクロスポイント仮想（ファントム）識別名称｛又は、クロスポイント仮想（ファントム）識別符号｝のうちの選択されたクロスポイント仮想識別名称（又は、クロスポイント仮想識別符号）のクロスポイントスイッチの組み合わせを同時にオンにする切換え制御データを発生する切換え制御データ発生手段を備え、その切換え制御データ発生手段からの切換え制御データを、スイッチング制御手段に供給して、ルーティングスイッチャの選択されたクロスポイントスイッチャの組み合わせを同時にオンにするようにしている。
【０００７】
このコントロールユニット（リモコンユニット）には、それぞれデスティネーション識別名称（又は、デスティネーション識別符号）の付された複数のデスティネーション操作スイッチ及びそれぞれソース識別名称（又は、ソース識別符号）の付された複数のソース操作スイッチが設けられている。尚、デスティネーション識別名称（又は、デスティネーション識別符号）は、デスティネーション操作キーの操作ボタン、又は、その操作ボンタンの側の、パネル上に付されている。同様に、ソース識別名称（又は、ソース識別符号）は、ソース操作キーの操作ボタン、又は、その操作ボンタンの側の、パネル上に付されている。
【０００８】
そして、複数のデスティネーション操作スイッチのうちの選択されたデスティネーション操作スイッチを操作すると共に、その後、複数のソース操作スイッチのうちの選択されたソース操作スイッチを操作することにより、選択されたデスティネーション操作スイッチ及び選択されたソース操作スイッチの組み合わせに応じたクロスポイント仮想識別名称（又は、クロスポイント仮想識別符号）の切換え制御データを切換え制御データ発生手段から発生させるようにしている。
【０００９】
切換え制御データ発生手段には、それぞれデスティネーション識別名称（又は、デスティネーション識別符号）データ及びソース識別名称（又は、ソース識別符号）データを伴う複数のデスティネーション操作スイッチ及び複数のソース操作スイッチの組み合わせ応じたルーティングスイッチャの複数のクロスポイント仮想識別名称（又は、クロスポイント仮想識別符号）データが記憶された記憶手段が設けれている。
【００１０】
複数のデスティネーション操作スイッチのうちの選択された１つ、又は、複数のデスティネーションスイッチを操作することによって、デスティネーション識別名称（又は、デスティネーション識別符号）データを発生させると共に、その後、複数のソース操作スイッチのうちの選択された１つ、又は、複数のソース操作スイッチを操作することによって、ソース識別名称データを発生させ、これらのデスティネーション識別名称データ及びソース識別名称データに基づいて、記憶手段から、クロスポイント仮想識別名称（又は、クロスポイント仮想識別符号）の切換え制御データを読み出し、このクロスポイント仮想識別名称の切換え制御データをスイッチング制御手段に供給して、ルーティングスイッチャのそのクロスポイント仮想識別名称（又は、クロスポイント仮想識別符号）の付された１組、又は、複数組のクロスポイントスイッチの組み合わせを同時にオンにする。
【００１１】
尚、一部のソース操作スイッチは、これを単独に操作することにより、デスティネーション操作スイッチの操作に無関係に、記憶手段から、ソース識別名称（又は、ソース識別符号）データを伴わないクロスポイント仮想識別名称（又は、クロスポイント仮想識別符号）の切換えデータが読み出されて、これがスイッチング制御手段に供給されて、ルーティングスイッチャのそのクロスポイント仮想識別名称の付された１組、又は、複数組のクロスポイントスイッチの組み合わせを同時にオンにするようになされている。
【００１２】
次に、図６を参照して、信号切換え装置の動作を説明する。先ず、予め、複数のデスティネーション操作スイッチのうちの選択されたデスティネーション操作スイッチを操作する（操作ボタンを押す）。尚、このデスティネーション操作スイッチの操作に基づくデスティネーション識別名称データ（信号）は、レジスタ等に蓄積しておく。
【００１３】
リモコンパネルの複数のソース操作スイッチのうちの選択されたソース操作スイッチを操作して、ソース識別名称データ（信号）を発生させて、レジスタ等に蓄積しておく（ステップＳＴ−１）。
【００１４】
記憶手段から、操作されたデスティネーション操作スイッチのデスティネーション識別名称と同じデスティネーション識別名称のデスティネーション識別名称データを伴うクロスポイント仮想（ファントム）識別名称｛又は、クロスポイント仮想識別｝の切換えデータを全部読み出し、複数のソース操作スイッチのソース識別名称（又は、ソース識別符号）と同じソース識別名称データがあるか否かを判別し（ステップＳＴ−２）、ＮＯであれば、そのソース識別名称データを伴わないクロスポイント仮想識別名称の切換えデータに対応するソース識別名称のソース操作スイッチが選択されて操作されたときに、デスティネーション操作スイッチの操作に無関係に、そのそのソース識別名称データを伴わないクロスポイント仮想識別名称の切換えデータをスイッチング制御手段に供給して、ルーティングスイッチャの選択された組み合わせのクロスポイントを同時にオンにする。
【００１５】
ステップＳＴ−２でＹＥＳのときは、ステップＳＴ−３で、選択されて操作されたソース操作スイッチャのソース識別名称と同じソース操作スイッチのソース識別名称データを伴うクロスポイント仮想識別名称の切換えデータを集める。その集められたクロスポイント仮想識別名称の切換えデータを、Ｓ−ＢＵＳ（ソニールーティングスイッチャリモートコントロールケーブル）に出力して、スイッチング制御手段に供給して、ルーティングスイッチャの選択された組み合わせのクロスポイントを同時にオンにする。
【００１６】
【発明が解決しようとする課題】
従来の信号切換え装置では、切換え制御データ発生手段に、それぞれデスティネーション識別名称データ及びソース識別名称データを伴う複数のデスティネーション操作スイッチ及び複数のソース操作スイッチの組み合わせ応じたルーティングスイッチャの複数のクロスポイント仮想識別名称の切換えデータが記憶された記憶手段が設けられ、複数のデスティネーション操作スイッチのうちの選択されたデスティネーション操作スイッチを操作すると共に、その後、複数のソース操作スイッチのうちの選択されたソース操作スイッチを操作することにより、選択されたデスティネーション操作スイッチ及び選択されたソース操作スイッチの組み合わせに応じたクロスポイント仮想識別名称（又は、クロスポイント仮想識別符号）の切換え制御データを記憶手段から得て、ルーティングスイッチャのスイッチング制御手段に供給するようにしているので、記憶手段として、記憶容量の大きなものが必要となる。
【００１７】
かかる点に鑑み、本発明は、選択されたデスティネーション操作スイッチ及び選択されたソース操作スイッチの組み合わせに応じたクロスポイント仮想識別名称（又は、クロスポイント仮想識別符号）の切換え制御データを発生させるために必要な、記憶手段に記憶するクロスポイント識別名称（又は、クロスポイント識別符号）データを少なくして、その記憶手段の記憶容量を少なくすることのできる信号切換え装置を提案しようとするものである。
【００１８】
【課題を解決するための手段】
本発明は、複数の入力端子及び複数の出力端子を備え、それぞれクロスポイント仮想識別名称（又は、クロスポイント仮想識別符号）が付された複数組のクロスポイントスイッチの組み合わせを有するルーティングスイッチャと、複数のクロスポイント仮想識別名称（又は、クロスポイント仮想識別符号）のうちの選択されたクロスポイント仮想識別名称（又は、クロスポイント仮想識別符号）のクロスポイントスイッチの組み合わせを同時にオンにする切換え制御データを発生する切換え制御データ発生手段と、切換え制御データ発生手段からの切換え制御データに基づいてルーティングスイッチャを制御するスイッチング制御手段と、それぞれデスティネーション識別名称（又は、デスティネーション識別符号）の付された複数のデスティネーション操作スイッチ及びそれぞれソース識別名称（又は、ソース識別符号）の付された複数のソース操作スイッチとを有し、複数のデスティネーション操作スイッチのうちの選択されたデスティネーション操作スイッチを操作すると共に、その後、複数のソース操作スイッチのうちの選択されたソース操作スイッチを操作することにより、選択されたデスティネーション操作スイッチ及び選択されたソース操作スイッチの組み合わせに応じたクロスポイント仮想識別名称（又は、クロスポイント仮想識別符号）の切換え制御データを切換え制御データ発生手段から発生させるようにした信号切換え装置において、それぞれクロスポイント仮想識別名称（又は、クロスポイント仮想識別符号）が付された複数組のクロスポイントスイッチの組み合わせのうち、ルーティングスイッチャの入力端子の組み合わせを共通にする複数組のクロスポイントスイッチの組み合わせに、クロスポイント仮想識別名称（又は、クロスポイント仮想識別符号）とは異なるクロスポイント識別名称を付しておき、クロスポイント識別名称の付された複数組のクロスポイントスイッチの組み合わせのうち、ルーティングスイッチャの出力端子の組み合わせを共通にするものには、その出力端子の組み合わせに応じたデスティネーション識別名称（又は、デスティネーション識別符号）データを付加すると共に、出力端子の組み合わせを共通にしないものには、デスティネーション識別名称（又は、デスティネーション識別符号）データを付加しないようにし、且つ、クロスポイント識別名称に応じたソース識別名称（又は、ソース識別符号）データを付加した複数のクロスポイント識別名称（又は、クロスポイント識別符号）の切換え制御データ記憶する記憶手段と、記憶手段から読み出された複数のクロスポイント識別名称（又は、クロスポイント識別符号）の切換え制御データのうち、デスティネーション識別名称（又は、デスティネーション識別符号）データの付されていないクロスポイント識別名称（又は、クロスポイント識別符号）の切換え制御データには、選択されたデスティネーション操作スイッチのデスティネーション識別名称（又は、デスティネーション識別符号）と同じデスティネーション識別名称（又は、デスティネーション識別符号）データを付加し、デスティネーション識別名称（又は、デスティネーション識別符号）データの付されているクロスポイント識別名称（又は、クロスポイント識別名称）の切換え制御データはそのままとした複数のクロスポイント識別名称（又は、クロスポイント識別符号）の切換え制御データを形成する切換え制御データ形成手段とを、切換え制御データ発生手段に設け、切換え制御データ形成手段からの複数のクロスポイント識別名称（又は、クロスポイント識別符号）の切換え制御データを、複数のクロスポイント仮想識別名称（又は、クロスポイント仮想識別名称）の切換え制御データとして、スイッチ制御手段に供給するようにしたことを特徴とする信号切換え装置である。
【００１９】
かかる本発明によれば、それぞれクロスポイント仮想識別名称（又は、クロスポイント仮想識別符号）が付された複数組のクロスポイントスイッチの組み合わせのうち、ルーティングスイッチャの入力端子の組み合わせを共通にする複数組のクロスポイントスイッチの組み合わせに、クロスポイント仮想識別名称（又は、クロスポイント仮想識別符号）とは異なるクロスポイント識別名称を付しておく。
【００２０】
クロスポイント識別名称の付された複数組のクロスポイントスイッチの組み合わせのうち、ルーティングスイッチャの出力端子の組み合わせを共通にするものには、その出力端子の組み合わせに応じたデスティネーション識別名称（又は、デスティネーション識別符号）データを付加すると共に、出力端子の組み合わせを共通にしないものには、デスティネーション識別名称（又は、デスティネーション識別符号）データを付加しないようにし、且つ、クロスポイント識別名称に応じたソース識別名称（又は、ソース識別符号）データを付加した複数のクロスポイント識別名称（又は、クロスポイント識別符号）の切換え制御データを記憶手段に記憶する。
【００２１】
切換え制御データ形成手段によって、記憶手段から読み出された複数のクロスポイント識別名称（又は、クロスポイント識別符号）の切換え制御データのうち、デスティネーション識別名称（又は、デスティネーション識別符号）データの付されていないクロスポイント識別名称（又は、クロスポイント識別符号）の切換え制御データには、選択されたデスティネーション操作スイッチのデスティネーション識別名称（又は、デスティネーション識別符号）と同じデスティネーション識別名称（又は、デスティネーション識別符号）データを付加し、デスティネーション識別名称（又は、デスティネーション識別符号）データの付されているクロスポイント識別名称（又は、クロスポイント識別名称）の切換え制御データはそのままとした複数のクロスポイント識別名称（又は、クロスポイント識別符号）の切換え制御データを形成する。
【００２２】
そして、切換え制御データ形成手段からの複数のクロスポイント識別名称（又は、クロスポイント識別符号）の切換え制御データを、複数のクロスポイント仮想識別名称（又は、クロスポイント仮想識別名称）の切換え制御データとして、スイッチ制御手段に供給する。
【００２３】
【発明の実施の形態】
以下に、図１〜図５を参照して、本発明の実施の形態を説明する。先ず、図３を主として参照して、本発明の実施の形態の信号切換え装置を説明する。３、６ａ、６ｂ、６ｃ、‥‥‥‥‥‥、６ｍは、ルーティングスイッチャ（マトリックススイッチャ）で、図４に示す如く、それぞれ、例えば、３２個の入力端子と、３２個の出力端子を有し、３２個の入力端子に接続された３２本の導線と、３２個の出力端子に接続された３２本の導線が互いに交叉し、その各交差点、即ち、各クロスポイントＣＰに、それぞれクロスポイントスイッチＳＷが接続されている。この場合、クロスポイントスイッチＳＷの個数は、３２×３２＝１０２４となる。
【００２４】
尚、各入力端子及び各出力端子は、実際には、それぞれ一対の端子から構成され、従って、各ルーティングスイッチャの互いに交叉する導線は３２対×３２対となる。この場合、互いに交叉する各１対の導線の各クロスポイントの両方にクロスポイントスイッチを設ければ、クロスポイントスイッチの個数は２０４８となり、いずれか一方のクロスポイントにのみクロスポイントスイッチを設ければ、クロスポイントスイッチの個数は１０２４となる。しかし、ここでは、説明を簡単にするために、各入力端子対及び各出力端子対を、それぞれ１個の端子として説明する。
【００２５】
ルーティングスイッチャ３、６ａ、６ｂ、６ｃ、‥‥‥‥‥‥、６ｍは、それぞれ同じ構成のスイッチャ板から構成されると共に、全体として層をなすように配置されている。そこで、図４に示すように、各層のスイッチャ板における入力端子にＩＮ００１−Ｌ、ＩＮ００２−Ｌ、‥‥‥‥‥‥、ＩＮ０３２−Ｌの識別符号を付し、これら識別符号に、例えば、ｍがｍ＝８のとき、各層のスイッチャ板の層識別記号（層番号）（レベル値）Ｌとして、ルーティングスイッチャ３、６ａ、６ｂ、６ｃ、‥‥‥‥‥‥、６ｍにそれぞれ対応する１、２、‥‥‥、８を付加する。又、各層のスイッチャ板における出力端子にＯＵＴ００１、ＯＵＴ００２、‥‥‥‥‥‥、ＯＵＴ０３２の識別符号を付す。これら識別符号に、各層のスイッチャ板の層記号（層番号）（レベル値）Ｌとして、ルーティングスイッチャ３、６ａ、６ｂ、６ｃ、‥‥‥‥‥‥、６ｍにそれぞれ対応する１、２、‥‥‥‥‥‥、を付加する場合もある。尚、ルーティングスイッチャ３、６ａ、６ｂ、６ｃ、‥‥‥‥‥‥、６ｍを、層状ではなく、全体として１枚のスイッチャ板として構成することも、勿論可能である。
【００２６】
ここでは、３がビデオルーティングスイッチャ、６ａがチャンネル１及び２のオーディオ信号に対するルーティングスイッチャ、６ｂがチャンネル３及び４のオーディオ信号に対するルーティングスイッチャ、６ｃがタイムコード信号に対するルーティングスイッチャ、残りのルーティングスイッチャは各種ルーティングスイッチャで、その具体的な信号の種類は省略する。ルーティングスイッチャ３、６ａ、６ｂ、６ｃ、‥‥‥‥‥、６ｍ（但し、ｍをｍ＝８とした場合）の入力端子及び出力端子はそれぞれ、３２×８＝２５６（本）となる。尚、説明の簡単化のため、主として、ルーティングスイッチャ３、６ａ、６ｂ、６ｃについて説明する。
【００２７】
このルーティングスイッチャ３、６ａ、６ｂ、６ｃの入力端子のうちの所定の入力端子に、入力側情報機器、例えば、あるＶＴＲからの再生ビデオ信号ＶＤ、オーディオ信号Ａ１／２、Ａ３／４、タイムコード信号ＴＣが供給される場合と、複数の入力側情報機器、例えば、ＶＴＲからの再生ビデオ信号ＶＤ及びタイムコード信号と、２種類のオーディオ信号Ａ１／２、Ａ３／４が供給される場合とがある。そして、後者の場合に、複数の入力側情報機器、例えば、ＶＴＲと、２種類のオーディオ信号を、１個の入力側仮想情報機器とてして取り扱う。
【００２８】
そして、ルーティングスイッチャ３、６ａ、６ｂ、６ｃの選択された所定のクロスポイントスイッチのみをオンにすることによって、ルーティングスイッチャ３、６ａ、６ｂ、６ｃの入力端子に接続された複数台の入力側仮想情報機器（例えば、ＶＴＲ）からの情報信号を、同じスイッチャ板の複数台の出力側情報機器（例えば、ＶＴＲ）に、選択的に供給することができる。
【００２９】
図３において、１０は入力側仮想情報機器としてのＶＴＲ（ソースＶＴＲ）で、ルーティングスイッチャ３、６ａ、６ｂ、６ｃのいずかの同じスイッチャ基板の３２個の入力端子のうちの、例えば、入力端子ＩＮ０１１−１、ＩＮ０１２−１、ＩＮ０１３−１、ＩＮ０１４−１に接続されて、それぞれビデオ信号ＶＤ、オーディオ信号ＡＵ１／２、ＡＵ３／４及びタイムコード信号ＴＣが入力端子ＩＮ０１１−１、ＩＮ０１２−１、ＩＮ０１３−１、ＩＮ０１４−１にそれぞれ供給される。
【００３０】
図３において、１１は出力側情報機器としてのＶＴＲ（デスティネーションＶＴＲで、ルーティングスイッチャ３、６ａ、６ｂ、６ｃの入力端子ＩＮ０１１−１、ＩＮ０１２−１、ＩＮ０１３−１、ＩＮ０１４−１のスイッチャ基板と同じスイッチャ基板のそれぞれ３２個の出力端子のうちの、例えば、出力端子ＯＵＴ０２１、ＯＵＴ０２２、ＯＵＴ０２３、ＯＵＴ０２４に接続され、入力端子ＩＮ０１１−１、ＩＮ０１２−１、ＩＮ０１３−１、ＩＮ０１４−１と、出力端子出力端子ＯＵＴ０２１、ＯＵＴ０２２、ＯＵＴ０２３、ＯＵＴ０２４との各クロスポイントＣＰのクロスポイントスイッチＳＷのみがオンになったとき、ソースＶＴＲ１０からのビデオ信号ＶＤ、オーディオ信号ＡＵ１／２、ＡＵ３／４及びタイムコード信号ＴＣが、出力端子ＯＵＴ０２１、ＯＵＴ０２２、ＯＵＴ０２３、ＯＵＴ０２４を通じて、デスティネーションＶＴＲ１１に供給される。
【００３１】
１はＣＰＵ、ＲＯＭ及びＲＡＭを備えた制御装置で、Ｓ−ＢＵＳ（ソニールーティングスイッチャリモートコントロールケーブル）（同軸ケーブル）５を通じて、制御装置１に接続されるリモートコントローラユニット（リモコンユニット）７ａ、７ｂ、‥‥‥‥‥‥、７ｎからの遠隔制御信号（複数のクロスポイント仮想識別名称（又は、クロスポイント仮想識別符号）のうちの選択されたクロスポイント仮想識別名称のクロスポイントスイッチの組み合わせを同時にオンにする切換え制御データ）に基づいて、制御装置１内のスイッチング制御手段から、ルーティングスイッチャ３、６ａ、６ｂ、６ｃ、‥‥‥‥‥‥、６ｍの各クロスポイントスイッチＳＷのうちの所定のクロスポイントスイッチのみをオンにするスイッチング制御信号を発生して、そのスイッチング制御信号を、ビデオルーティングスイッチャ３に供給すると共に、Ｓ−ＢＵＳ５を通じて、ルーティングスイッチャ６ａ、６ｂ、６ｃに供給する。
【００３２】
１Ｔは、制御装置１に対する制御端末（キーボード等の入力装置及びモニタ受像機等の出力装置を備えている）で、ケーブル９を通じて、制御装置１に接続されている。尚、Ｓ−ＢＵＳ５の分岐点にはＴ型ブリッジが、終端には７５Ωの終端器がそれぞれ接続されている。
【００３３】
ここでは、２を１次通信局、４を２次通信局とし、１次通信局２に、制御装置１及びビデオルーティングスイッチャ３を配し、２次通信局４に、ルーティングスイッチャ６ａ、６ｂ、６ｃ、‥‥‥‥‥‥、６ｍ及びリモコンユニット７ａ、７ｂ、‥‥‥‥‥‥、７ｎを配し、１次通信局２及び２次通信局４の間で、Ｓ−ＢＵＳ５を通じて、通信が行われる。
【００３４】
ルーティングスイッチャ３、６ａ〜６ｍには、それぞれクロスポイントスイッチの組み合わせが、複数組設けられてりおり、それぞれのクロスポイントスイッチの組み合わせに対し、それぞれ仮想（ファントム）識別名称｛仮想（ファントム）識別符号｝が付されている。仮想識別名称は、例えば、ニックネームであり、仮想識別名称は、、例えば、番号である。
【００３５】
ルーティングスイッチャ３、６ａ〜６ｍのあるクロスポイントスイッチの組み合わせに対応する入力端子の組み合わせ及び出力端子の組み合わせに対しても、それぞれソース識別名称（又は、ソース識別符号）及びデスティネーション識別名称が付されている。それぞれソース識別名称（又は、ソース識別符号）の付された入力端子の組に供給される入力情報信号（ソース情報信号）は、１つの入力側情報機器（ソース情報機器）からの情報信号に限らず、複数の入力側情報機器からの情報信号の場合もある。同様に、デスティネーション識別名称（又は、デスティネーション識別符号）が付された出力端子の組み合わせから出力される出力情報信号（デスティネーション情報信号）は、１つの出力側情報機器（デスティネーション情報機器）からの情報信号に限らず、複数の出力側情報機器からの情報信号の場合もある。これらの識別名称は、例えば、現実、又は、仮想の情報機器の名前であり、識別符号は、例えば、番号である。
【００３６】
次に、コントロールユニット７ａ〜７ｎについて説明する。このコントロールユニットは、複数のクロスポイント仮想（ファントム）識別名称｛又は、クロスポイント仮想（ファントム）識別符号｝のうちの選択されたクロスポイント仮想識別名称のクロスポイントスイッチの組み合わせを同時にオンにする切換え制御データを発生する切換え制御データ発生手段を備え、その切換え制御データ発生手段からの切換え制御データを、Ｓ−ＢＵＳ５を通じて、制御装置１内のスイッチング制御手段に供給して、ルーティングスイッチャ３、６ａ〜６ｍそれぞれの選択されたクロスポイントスイッチの組み合わせを同時にオンにするようにしている。
【００３７】
このコントロールユニット（リモコンユニット）７ａ〜７ｎには、図５に示すように、それぞれソース識別名称（又は、ソース識別符号）の付された複数のソース操作スイッチ（操作ボタンを含む）Ｓ１〜Ｓｘ及びデスティネーション識別名称（又は、デスティネーション識別符号）の付された複数のデスティネーション操作スイッチ（操作ボタンを含む）Ｓｙ〜Ｓｋ及びそれぞれが設けられている。尚、ソース識別名称（又は、ソース識別符号）は、ソース操作キーの操作ボタン、又は、その操作ボンタンの側の、パネル上に付されている。同様に、デスティネーション識別名称（又は、デスティネーション識別符号）は、デスティネーション操作キーの操作ボタン、又は、その操作ボンタンの側の、パネル上に付されている。
【００３８】
そして、複数のデスティネーション操作スイッチＳｙ〜Ｓｋのうちの選択されたデスティネーション操作スイッチを操作すると共に、その後、複数のソース操作スイッチＳ１〜Ｓｘのうちの選択されたソース操作スイッチを操作することにより、選択されたデスティネーション操作スイッチ及び選択されたソース操作スイッチの組み合わせに応じたクロスポイント仮想識別名称の切換え制御データを、リモコンユニット７に内蔵されている切換え制御データ発生手段から発生させるようにしている。
【００３９】
次に、図２を参照して、リモコンユニット（リモートコントロールユニット）７（７ａ、７ｂ、‥‥‥‥‥‥、７ｎの構成（同一構成である）を説明する。２３はＣＰＵ（制御ＩＣ）で、互い逆方向に並列接続されたバッファ２１、２２を通じて、端子２０に接続され、その端子２０は、Ｔ側ブリッジを通じて図３のＳ−ＢＵＳ５ａ接続されている。ＣＰＵ２３は、ＲＯＭ２４に記憶されている動作手順プログラムに基づいて動作する。２６は電池２７によって記憶内容が保持されるＲＡＭである。
【００４０】
ルーティングスイッチャのそれぞれクロスポイント仮想識別名称（又は、クロスポイント仮想識別符号）が付されたクロスポイントスイッチの組み合わせのうち、入力端子の組み合わせを共通にするクロスポイントスイッチの組み合わせに対し、それぞれクロスポイント仮想識別名称（又は、クロスポイント仮想識別符号）とは異なるクロスポイント識別名称（又は、クロスポイント識別符号）を付しておく。
【００４１】
そして、かかるクロスポイント識別名称（又は、クロスポイント識別符号）の切換え制御データに、出力端子の組み合わせを共通にするものには、その出力端子の組み合わせに応じたデスティネーション識別名称（又は、デスティネーション識別符号）データを付加すると共に、ソース識別名称（又は、ソース識別符号）データを付加せず｛ソース識別名称（又は、ソース識別符号）データを付加しても良いが、ここでは、付加しない｝、又、出力端子の組み合わせを共通にしないものには、クロスポイント識別名称（又は、クロスポイント識別符号）に応じたソース識別名称（又は、ソース識別符号）データを付加するが、デスティネーション識別名称（又は、デスティネーション識別符号）データを付加しないようにし、かかるクロスポイント識別名称（又は、クロスポイント識別符号）の切換え制御データを、ＲＡＭ２６に記憶しておく。
【００４２】
２５はＲＡＭで、ＲＡＭ２６から読み出されたクロスポイント識別名称（又は、クロスポイント識別符号）の切換え制御データの全てを、このＲＡＭ２５に一時的に記憶させる。これらＲＯＭ２４、ＲＡＭ２５及びＲＡＭ２６は、これらにＣＰＵ２３からのアドレス信号ＡＤが供給されると共に、その書き込み及び読出しが制御される。
【００４３】
Ｓ１〜Ｓｋは、上述の複数のソース操作スイッチ及び複数のデスティネーション操作スイッチである。これら操作スイッチＳ１〜Ｓｋは、は並列入出力インターフェース（ＰＩＯ）２９を通じて、ＣＰＵ２３、ＲＯＭ２４、ＲＡＭ２５、２６が共通に接続されたデータバス２に接続される。
【００４４】
次に、図１を参照して、図２のリモコンユニットのＣＰＵ２３の機能による動作を説明する。先ず、予め、リモコンユニット７のパネル３０に設けられた複数のデスティネーション操作スイッチＳｙ〜Ｓｋのうちの選択されたデスティネーション操作スイッチを操作する（操作ボタンを押す）。尚、このデスティネーション操作スイッチの操作に基づくデスティネーション識別名称（又は、デスティネーション識別符号）データ（信号）は、レジスタ等に蓄積しておく。
【００４５】
リモコンパネル３０の複数のソース操作スイッチＳ１〜Ｓｘのうちの選択されたソース操作スイッチを操作して、ソース識別名称（又は、ソース識別符号）データ（信号）を発生させて、レジスタ等に蓄積しておく（ステップＳＴ−１）。
【００４６】
ＲＡＭ２６から読み出されたクロスポイント識別名称（又は、クロスポイント識別符号）の切換え制御データの全てを、このＲＡＭ２５に一時的に記憶させ、操作されたデスティネーション操作スイッチのデスティネーション識別名称と同じデスティネーション識別名称データの付加されたクロスポイント識別名称の切換え制御データのうち、複数のソース操作スイッチのソース識別名称と同じソース識別名称データがあるか否かを判別し（ステップＳＴ−２）、ＮＯであれば、そのソース識別名称データを伴わないクロスポイント識別名称の切換え制御データは、そのソース仮想識別名称データに対応するソース識別名称のソース操作スイッチが選択されて操作されたときに、デスティネーション操作スイッチの操作に無関係に、クロスポイント仮想識別名称の切換え制御データとして、制御装置１のスイッチング制御手段に供給して、ルーティングスイッチャのクロスポイント識別名称の切換え制御データに付加されているデスティネーション識別名称データのデスティネーション識別名称に応じた組み合わせのクロスポイントを同時にオンにする。
【００４７】
ステップＳＴ−２でＹＥＳのときは、ステップＳＴ−３で、選択されて操作されたソース操作スイッチのソース識別名称と同じソース操作スイッチのソース識別名称データを伴うクロスポイント識別名称の切換え制御データ集める（ステップＳＴ−３）。
【００４８】
ステップＳＴ−４では、集められたクロスポイント識別名称の切換え制御データに、デスティネーション識別名称デスティネーションが付加されているか否かを判断する。ステップＳＴ−４の判断で、ＮＯときは、操作されたデスティネーション操作スイッチのデスティネーション識別名称データをレジスタから持って来て、ＣＰＵ２３によって、クロスポイント識別名称データに付加して、クロスポイント仮想識別名称の切換え制御データとする（ステップＳＴ−６）。ステップＳＴ−４の判断で、ＹＥＳのときは、クロスポイント識別名称の切換え制御データはデスティネーション識別名称データが付加されているので、そのままクロスポイント仮想識別名称の切換え制御データとする。そして、ステップＳＴ−５で、集めた全てのクロスポイント仮想識別名称の切換え制御データをを、Ｓ−ＢＵＳ（ソニールーティングスイッチャリモートコントロールケーブル）５に出力して、スイッチング制御手段に供給して、ルーティングスイッチャの選択された組み合わせのクロスポイントを同時にオンにする。
【００４９】
ＲＡＭ２６に記憶するクロスポイント識別名称（又は、クロスポイント識別符号）の切換え制御データに、出力端子の組み合わせを共通にするものには、その出力端子の組み合わせに応じたデスティネーション識別名称（又は、デスティネーション識別符号）データを付加すると共に、ソース識別名称（又は、ソース識別符号）データをも付加する場合は、ステップＳＴ−２を省き、ステップＳＴ−５で、そのソース仮想識別名称データに対応するソース識別名称のソース操作スイッチが選択されて操作されたときに、デスティネーション操作スイッチの操作に無関係に、クロスポイント仮想識別名称の切換え制御データとして、制御装置１のスイッチング制御手段に供給して、ルーティングスイッチャのクロスポイント識別名称の切換え制御データに付加されているデスティネーション識別名称データのデスティネーション識別名称に応じた組み合わせのクロスポイントを同時にオンにする。
【００５０】
１つのクロスポイント仮想識別名称（クロスポイント仮想識別符号）データ（ファントムデータ）は、「ファントム名称：出力端子名称＜入力端子名称、・レベル値」で設定されている。次に、、、６種類のファントムがある。尚、これらの各名称は、識別記号である。尚、ＰＨに続けて３桁の数字を付したものは、ファントム番号を示す。次に、ファントムデータ例を示す。
【００５１】
▲１▼  ＰＨ００１：ＯＵＴ００１＜ＩＮ００２−０  これは、ファントムＰＨ００１の信号切り換えを実行すると、入力端子ＩＮ００２と出力端子ＯＵＴ００１との間を、そのクロスポイントのクロスポイントスイッチをオンにすることによって、入力端子ＩＮ００２を出力端子ＯＵＴ００１に接続し、入力端子ＩＮ００２にレベル値（多層のルーティングスイッチャの層の番号）はないので、レベル値は出力端子ＯＵＴ００１から持ってくることになる。
【００５２】
▲２▼  ＰＨ００２：ＯＵＴ００１＜ＩＮ００２−１  これは、ファントムＰＨ００２の信号切り換えを実行すると、入力端子ＩＮ００２と出力端子ＯＵＴ００１との間のクロスポイントスイッチをオンにして、入力端子ＩＮ００２を出力端子ＯＵＴ００１に接続することになる。レベル値は１である。
【００５３】
▲３▼  ＰＨ００３：            ＜ＩＮ００２−１  これは、ＰＨ００４の信号切り換えを実行すると、入力端子ＩＮ００２と、リモコンユニットのパネル３０の操作ボタンの操作によって、選択されたデスティネーション識別名称（又は、デスティネーション識別符号とする。レベル値は１となる。
【００５４】
【発明の効果】
上述せる第１の本発明によれば、複数の入力端子及び複数の出力端子を備え、それぞれクロスポイント仮想識別名称（又は、クロスポイント仮想識別符号）が付された複数組のクロスポイントスイッチの組み合わせを有するルーティングスイッチャと、複数のクロスポイント仮想識別名称（又は、クロスポイント仮想識別符号）のうちの選択されたクロスポイント仮想識別名称（又は、クロスポイント仮想識別符号）のクロスポイントスイッチの組み合わせを同時にオンにする切換え制御データを発生する切換え制御データ発生手段と、切換え制御データ発生手段からの切換え制御データに基づいてルーティングスイッチャを制御するスイッチング制御手段と、それぞれデスティネーション識別名称（又は、デスティネーション識別符号）の付された複数のデスティネーション操作スイッチ及びそれぞれソース識別名称（又は、ソース識別符号）の付された複数のソース操作スイッチとを有し、複数のデスティネーション操作スイッチのうちの選択されたデスティネーション操作スイッチを操作すると共に、その後、複数のソース操作スイッチのうちの選択されたソース操作スイッチを操作することにより、選択されたデスティネーション操作スイッチ及び選択されたソース操作スイッチの組み合わせに応じたクロスポイント仮想識別名称（又は、クロスポイント仮想識別符号）の切換え制御データを切換え制御データ発生手段から発生させるようにした信号切換え装置において、それぞれクロスポイント仮想識別名称（又は、クロスポイント仮想識別符号）が付された複数組のクロスポイントスイッチの組み合わせのうち、ルーティングスイッチャの入力端子の組み合わせを共通にする複数組のクロスポイントスイッチの組み合わせに、クロスポイント仮想識別名称（又は、クロスポイント仮想識別符号）とは異なるクロスポイント識別名称を付しておき、クロスポイント識別名称の付された複数組のクロスポイントスイッチの組み合わせのうち、ルーティングスイッチャの出力端子の組み合わせを共通にするものには、その出力端子の組み合わせに応じたデスティネーション識別名称（又は、デスティネーション識別符号）データを付加すると共に、出力端子の組み合わせを共通にしないものには、デスティネーション識別名称（又は、デスティネーション識別符号）データを付加しないようにし、且つ、クロスポイント識別名称に応じたソース識別名称（又は、ソース識別符号）データを付加した複数のクロスポイント識別名称（又は、クロスポイント識別符号）の切換え制御データ記憶する記憶手段と、記憶手段から読み出された複数のクロスポイント識別名称（又は、クロスポイント識別符号）の切換え制御データのうち、デスティネーション識別名称（又は、デスティネーション識別符号）データの付されていないクロスポイント識別名称（又は、クロスポイント識別符号）の切換え制御データには、選択されたデスティネーション操作スイッチのデスティネーション識別名称（又は、デスティネーション識別符号）と同じデスティネーション識別名称（又は、デスティネーション識別符号）データを付加し、デスティネーション識別名称（又は、デスティネーション識別符号）データの付されているクロスポイント識別名称（又は、クロスポイント識別名称）の切換え制御データはそのままとした複数のクロスポイント識別名称（又は、クロスポイント識別符号）の切換え制御データを形成する切換え制御データ形成手段とを、切換え制御データ発生手段に設け、切換え制御データ形成手段からの複数のクロスポイント識別名称（又は、クロスポイント識別符号）の切換え制御データを、複数のクロスポイント仮想識別名称（又は、クロスポイント仮想識別名称）の切換え制御データとして、スイッチ制御手段に供給するようにしたので、選択されたデスティネーション操作スイッチ及び選択されたソース操作スイッチの組み合わせに応じたクロスポイント仮想識別名称（又は、クロスポイント仮想識別符号）の切換え制御データを発生させるために必要な、記憶手段に記憶するクロスポイント識別名称（又は、クロスポイント識別符号）データを少なくして｛記憶手段に記憶するクロスポイント識別名称（又は、クロスポイント識別符号）データの数は少なくなり｛従来例の記憶手段に記憶するクロスポイント仮想識別名称（又は、クロスポイント仮想識別符号）の切換え制御のデータの数を、ルーティングスイッチャの出力端子の組み合わせの数で割った数となる。）、その記憶手段の記憶容量を少なくすることのできる信号切換え装置を得ることができる。これによって、記憶手段及び切換え制御データ形成手段を含む切換え制御データ発生手段をリモートコントローラにて構成することが容易となり、切換え制御データの発生が容易になる。
【００５５】
第２の本発明によれば、複数の入力端子及び複数の出力端子を備え、それぞれクロスポイント仮想識別名称（又は、クロスポイント仮想識別符号）が付された複数組のクロスポイントスイッチの組み合わせを有するルーティングスイッチャと、複数のクロスポイント仮想識別名称（又は、クロスポイント仮想識別符号）のうちの選択されたクロスポイント仮想識別名称（又は、クロスポイント仮想識別符号）のクロスポイントスイッチの組み合わせを同時にオンにする切換え制御データを発生する切換え制御データ発生手段と、切換え制御データ発生手段からの切換え制御データに基づいてルーティングスイッチャを制御するスイッチング制御手段と、それぞれデスティネーション識別名称（又は、デスティネーション識別符号）の付された複数のデスティネーション操作スイッチ及びそれぞれソース識別名称（又は、ソース識別符号）の付された複数のソース操作スイッチとを有し、複数のデスティネーション操作スイッチのうちの選択されたデスティネーション操作スイッチを操作すると共に、その後、複数のソース操作スイッチのうちの選択されたソース操作スイッチを操作することにより、選択されたデスティネーション操作スイッチ及び選択されたソース操作スイッチの組み合わせに応じたクロスポイント仮想識別名称（又は、クロスポイント仮想識別符号）の切換え制御データを切換え制御データ発生手段から発生させるようにした信号切換え装置において、それぞれクロスポイント仮想識別名称（又は、クロスポイント仮想識別符号）が付された複数組のクロスポイントスイッチの組み合わせのうち、ルーティングスイッチャの入力端子の組み合わせを共通にする複数組のクロスポイントスイッチの組み合わせに、クロスポイント仮想識別名称（又は、クロスポイント仮想識別符号）とは異なるクロスポイント識別名称を付しておき、クロスポイント識別名称（又は、クロスポイント識別符号）の付された複数組のクロスポイントスイッチの組み合わせのうち、ルーティングスイッチャの出力端子の組み合わせを共通にするものには、その出力端子の組み合わせに応じたデスティネーション識別名称（又は、デスティネーション識別符号）データを付加すると共に、ソース識別名称（又は、ソース識別符号は付加せず、出力端子の組み合わせを共通にしないものには、デスティネーション識別名称（又は、デスティネーション識別符号）データを付加しないようにすると共に、クロスポイント識別名称に応じたソース識別名称（又は、ソース識別符号）データを付加した複数のクロスポイント識別名称（又は、クロスポイント識別符号）の切換え制御データ記憶する記憶手段と、記憶手段から読み出された複数のクロスポイント識別名称（又は、クロスポイント識別符号）の切換え制御データのうち、ソース識別名称（又は、ソース識別符号）データが付されていないときは、デスティネーション識別名称（又は、デスティネーション識別符号）データの付されていないクロスポイント識別名称（又は、クロスポイント識別符号）の切換え制御データには、選択されたデスティネーション操作スイッチのデスティネーション識別名称（又は、デスティネーション識別符号）と同じデスティネーション識別名称（又は、デスティネーション識別符号）データを付加し、デスティネーション識別名称（又は、デスティネーション識別符号）データの付されているクロスポイント識別名称（又は、クロスポイント識別名称）の切換え制御データ及びソース識別名称（又は、ソース識別符号）データが付されていない切換え制御データはそのままとした複数のクロスポイント識別名称（又は、クロスポイント識別符号）の切換え制御データを形成する切換え制御データ形成手段とを、切換え制御データ発生手段に設け、切換え制御データ形成手段からの複数のクロスポイント識別名称（又は、クロスポイント識別符号）の切換え制御データを、複数のクロスポイント仮想識別名称（又は、クロスポイント仮想識別名称）の切換え制御データとして、スイッチ制御手段に供給するようにしたので、第１の本発明と同様の効果が得られる。
【図面の簡単な説明】
【図１】本発明の実施の形態のフローチャートである。
【図２】実施の形態のリモートコントロールユニットの構成例を示すブロック線図である。
【図３】実施の形態の信号切換え装置を示すブロック線図である。
【図４】ルーティングスイッチャを示す回路図である。
【図５】実施の形態のリモートコントロールユニットのパネルを示す平面図である。
【図６】従来例のフローチャートである。
【符号の説明】
３、６ａ、６ｂ、６ｃ、‥‥‥‥‥‥、６ｍ  ルーティングスイッチャ、７ａ、７ｂ、‥‥‥‥‥‥、７ｎ  ４リモコンユニット、１０  ソースＶＴＲ、１１デスティネーションＶＴＲ。
【図１】
0003575163.tif 000002
【図２】
0003575163.tif 000003
【図３】
0003575163.tif 000004
【図４】
0003575163.tif 000005
【図５】
0003575163.tif 000006
【図６】
0003575163.tif 000007